(57)【要約】      （修正有）【課題】鼻緒付履物について、必要なときに踵側を固定できる一方、不要になれば踵側を固定せずに利用できるようにする鼻緒付履物の固定具を提供する。【解決手段】鼻緒付履物１の固定具１０は、鼻緒付履物を履いた足５の踵７に中央部分が巻き掛けられる紐部１１と、紐部の少なくとも両端側部分１２に設けられて、鼻緒付履物の鼻緒３に着脱可能に係合する係合部１３とを備えている。鼻緒の表面はメスの面ファスナによって構成され、係合部はオスの面ファスナによって構成されている。【選択図】図２
0003220890.tif 000002
【実用新案登録請求の範囲】
【請求項１】
鼻緒付履物を履いた足の踵に中央部分が巻き掛けられる紐部と、
上記紐部の少なくとも両端側部分に設けられて、上記鼻緒付履物の鼻緒に着脱可能に係合する係合部とを備えている、鼻緒付履物の固定具。
【請求項２】
請求項１に記載された鼻緒付履物の固定具において、
上記鼻緒の表面は、多数のループが起毛状に形成されたメスの面ファスナによって構成されており、
上記係合部は、多数のフックが起毛状に形成されたオスの面ファスナによって構成されている、鼻緒付履物の固定具。
【請求項３】
請求項１又は２に記載された鼻緒付履物の固定具が装着されている、鼻緒付履物。
【請求項４】
請求項１に記載された鼻緒付履物の固定具が装着される鼻緒付履物であって、
上記鼻緒の表面は、多数のループが起毛状に形成されたメスの面ファスナによって構成されており、多数のフックが起毛状に形成されたオスの面ファスナによって構成された上記係合部に係合するように構成されている、鼻緒付履物。
【考案の詳細な説明】
【技術分野】
【０００１】
本考案は、鼻緒付履物、及び鼻緒付履物を足に固定する固定具に関する。
【背景技術】
【０００２】
足を乗せる台に鼻緒が装着された鼻緒付履物は、一般に踵側は固定しないで、足のつま先側を鼻緒によって固定するものである。したがって、このような鼻緒付履物は、履きやすく且つ脱ぎやすいという特徴を有している。
【０００３】
一方、特許文献１に開示されているサンダルは、つま先から足の甲に亘る部分をベルト状の被腹部で固定すると共に、踵から足首に亘る部分を踵固定用ベルトと足首固定用ベルトとによって固定する構成となっている。足首固定用ベルトは、踵固定用ベルトに対して留め具により着脱可能になっている。
【先行技術文献】
【特許文献】
【０００４】
【特許文献１】実用新案登録第３１６６８７０号公報
【考案の概要】
【考案が解決しようとする課題】
【０００５】
ところで、特に子供については、鼻緒付履物に履き慣れていなかったり、サイズが多少大きかったりすることにより、歩行中に履物が脱げやすい問題がある。
これに関し、上記特許文献１のサンダルは、足の踵側を履物の台に対して確実に固定できるので、歩行中に履物が脱げにくい利点がある。しかしながら、履物を履いたり脱いだりする際に、その都度、留め具でベルトを着脱しなければならず、煩雑である。
また、鼻緒付履物に履き慣れたり、足の成長により履物のサイズが適合するようになれば、特許文献１のような踵側の固定ベルトは鼻緒付履物に不要になる。しかし、特許文献１の固定ベルトは、台に固着されているので、取り外すことはできない。
【０００６】
本考案は、かかる点に鑑みてなされたものであり、その目的とするところは、鼻緒付履物について、必要なときに踵側を固定できる一方、不要になれば踵側を固定せずに利用できるようにすることにある。
【課題を解決するための手段】
【０００７】
第１の考案に係る鼻緒付履物の固定具は、鼻緒付履物を履いた足の踵に中央部分が巻き掛けられる紐部と、上記紐部の少なくとも両端側部分に設けられて、上記鼻緒付履物の鼻緒に着脱可能に係合する係合部とを備えている。
【０００８】
第２の考案に係る鼻緒付履物の固定具は、上記第１の考案に係る固定具において、上記鼻緒の表面は、多数のループが起毛状に形成されたメスの面ファスナによって構成されており、上記係合部は、多数のフックが起毛状に形成されたオスの面ファスナによって構成されている。
【０００９】
第３の考案に係る鼻緒付履物は、上記第１又は第２の考案に係る固定具が装着されている。
【００１０】
第４の考案に係る鼻緒付履物は、上記第１の考案に係る固定具が装着される鼻緒付履物であって、上記鼻緒の表面は、多数のループが起毛状に形成されたメスの面ファスナによって構成されており、多数のフックが起毛状に形成されたオスの面ファスナによって構成された上記係合部に係合するように構成されている。
【考案の効果】
【００１１】
本考案によれば、固定具の紐部を踵に巻き掛けると共にその両端側の係合部を鼻緒に係合させることにより、固定具を鼻緒付履物に極めて簡便に装着することができる。これにより、使用者の足を履物に確実に固定することができる。よって、例えば子供のように鼻緒付履物に履き慣れていなかったり、サイズが多少大きかったりする場合であっても、歩行中に履物を脱げ難くすることができるのである。
しかも、固定具の係合部は、鼻緒に対して着脱可能であるため、例えば使用者が鼻緒付履物に履き慣れたり、足の成長により履物のサイズが適合するようになれば、固定具を取り外した状態で鼻緒付履物を使用することができる。
【００１２】
さらに、鼻緒の表面をメスの面ファスナによって構成する一方、固定具の係合部をオスの面ファスナによって構成すれば、鼻緒の肌触りを心地よくしながらも、係合部を鼻緒の任意の位置に係合できるため、種々の大きさの足を好適に固定することが可能になる。
【図面の簡単な説明】
【００１３】
【図１】図１は、紐部の中間部分を省略して示す固定具の平面図である。
【図２】図２は、本実施形態における固定具が装着された草履を示す斜視図である。
【図３】図３は、本実施形態における固定具が装着された草履を示す斜視図である。
【考案を実施するための形態】
【００１４】
以下、本考案の実施形態を図面に基づいて詳細に説明する。尚、本考案は、以下の実施形態に限定されるものではない。
【００１５】
図１は、紐部１１の中間部分を省略して示す固定具１０の平面図である。図２及び図３は、本実施形態における固定具１０が装着された草履１を示す斜視図である。尚、本実施形態では、草履１を鼻緒付履物の例として説明するが、草履１に限らず、例えば雪駄、サンダル及び下駄等の他の鼻緒付履物であってもよい。
【００１６】
図２に示すように、草履１は、足を乗せる本体部分である台２と、台２に取り付けられた鼻緒３とを備えている。鼻緒３は、つま先側（前側）に設けられた先緒４を有し、先緒４から踵側（後側）へ延びて後端部分が台２に差し込まれて取付固定されている。
【００１７】
本実施形態の固定具１０は、図１に示すように、紐部１１と、紐部１１の少なくとも両端側部分１２に設けられた係合部１３とを備えている。紐部１１は、例えば帯状に形成されており、図示は省略するが例えば表側の合成樹脂層と、裏側の不織布層とを有している。紐部１１は、伸縮性が低く伸びにくい構成となっている。
【００１８】
紐部１１は、草履１を履いた足５の踵７に中央部分が巻き掛けられる。紐部１１の両端側部分１２には、それぞれ係合部１３が設けられている。係合部１３は、鼻緒３に着脱可能に係合するように構成されている。
【００１９】
すなわち、鼻緒３の表面は、多数のループが起毛状に形成されたメスの面ファスナによって構成されている。そうして、鼻緒３の表面は、それ自体が固定具１０の係合部１３に直接に係合するようになっている。なお、本実施形態では、鼻緒３の表面全体がメスの面ファスナによって構成されているが、鼻緒３の後側部分のみを面ファスナによって構成してもよい。
【００２０】
一方、固定具１０の係合部１３は、多数のフックが起毛状に形成されたオスの面ファスナによって構成されている。そのことにより、係合部１３が鼻緒３に対して着脱可能に係合するようになっている。なお、本実施形態では、紐部１１の両端側部分に係合部１３となる面ファスナを設けた例を説明しているが、これに限らず、紐部１１の一方の表面全体に面ファスナを設けた構成としてもよい。また、係合部１３は、面ファスナ以外にも例えばホック等の他の構成によって、鼻緒３に着脱可能に係合させるようにしてもよい。
【００２１】
固定具１０を装着する場合、図２に示すように、まず台２の上に足５を乗せて指の間に先緒４を差し込むことにより草履１を履く。この状態で、紐部１１の一方の端部１２を、係合部１３において鼻緒３の表面に係合させる。続いて、紐部１１の中央部分を踵７にしっかりと巻き掛けた状態で、紐部１１の他方の端部１２を鼻緒３の表面に係合させる。そのことにより、固定具１０を鼻緒３に装着する。
【００２２】
このとき、図２に示すように、係合部１３は、鼻緒３の内側に係合させることが可能である。ここで、鼻緒の外側の側面は、歩行中に周囲の障害物に接触しやすいが、係合部１３を鼻緒３の内側に係合させることにより、固定具１０の両端部分１２が周囲の障害物に接触し難くなる。よって、歩行中に固定具１０が鼻緒３から外れにくくすることができるのである。
【００２３】
一方、図３に示すように、係合部１３を鼻緒３の外側に係合させてもよい。このようにすれば、固定具１０の両端部分１２が足５に接触せず、鼻緒３の内側表面が足５に直接に接触して支持することになるので、草履１の履き心地を良好なものとすることができる。
【００２４】
このように、本実施形態によると、固定具１０の紐部１１を踵５に巻き掛けると共にその両端側の係合部１３を鼻緒３に係合させることにより、固定具１０を草履１に極めて簡便に装着することができる。これにより、使用者の足５を草履１に確実に固定することができる。よって、例えば子供のように草履１に履き慣れていなかったり、草履１のサイズが多少大きかったりする場合であっても、歩行中に草履１を脱げ難くすることができるのである。
【００２５】
しかも、固定具１０の係合部１３は、鼻緒３に対して着脱可能であるため、例えば使用者が草履１に履き慣れたり、足の成長により草履１のサイズが適合するようになれば、固定具１０を取り外した状態で、草履１をそれ単体で使用することができる。
【００２６】
さらに、鼻緒３の表面をメスの面ファスナによって構成する一方、固定具１０の係合部１３をオスの面ファスナによって構成することにより、鼻緒３の肌触りを心地よくしながらも、係合部１３を鼻緒３の任意の位置に係合できるため、種々の大きさの足５を好適に固定することが可能になる。
【産業上の利用可能性】
【００２７】
以上説明したように、本考案は、鼻緒付履物を足に固定する固定具と、当該固定具を備えた鼻緒付履物について有用である。
【符号の説明】
【００２８】
１  草履（鼻緒付履物）
３  鼻緒
５  足
７  踵
１０  固定具
１１  紐部
１２  両端側部分
１３  係合部
【図１】
0003220890.tif 000003
【図２】
0003220890.tif 000004
【図３】
0003220890.tif 000005